(57)【要約】【課題】床暖房の装備に際し、特に専門的な知識が無い者であっても容易にこれを行なうことを可能とした電気式床暖房機用コントローラーを提供すること。【解決手段】１又は複数個の電源入力部（２）と、該電源入力部（２）に接続された制御手段（４）と、該制御手段（４）に接続された出力手段（５）と、前記制御手段（４）に各種の指示を与えるための操作スイッチ（７）とを備えて、前記制御手段（４）を介して、前記電源入力部（２）より入力された電源を出力手段（５）より電気式床暖房機に供給可能とした電気式床暖房機用のコントローラー（１）において、前記電源入力部（２）として、壁等に備えられたコンセントに接続可能なソケットにするとともに、該ソケット（２）に接続したサービス用コンセント（６）を具備し、これにより、前記ソケットを壁等に備えたコンセントに差し込むだけで床暖房機への電源供給を可能にしたことを特徴とする。【選択図】図１
2005308334.tif 000002
【特許請求の範囲】
【請求項１】
１又は複数個の電源入力部（２）と、該電源入力部（２）に接続された制御手段（４）と、該制御手段（４）に接続された出力手段（５）と、前記制御手段（４）に各種の指示を与えるための操作スイッチ（７）とを備えて、前記制御手段（４）を介して、前記電源入力部（２）より入力された電源を出力手段（５）より電気式床暖房機に供給可能とした電気式床暖房機用のコントローラー（１）において、前記電源入力部（２）として、壁等に備えられたコンセントに接続可能なソケットとしたことを特徴とする電気式床暖房機用コントローラー。
【請求項２】
１又は複数個の電源入力部（２）と、該電源入力部（２）に接続された制御手段（４）と、該制御手段（４）に接続された出力手段（５）と、前記制御手段（４）に各種の指示を与えるための操作スイッチ（７）とを備えて、前記制御手段（４）を介して、前記電源入力部（２）より入力された電源を出力手段（５）より電気式床暖房機に供給可能とした電気式床暖房機用のコントローラー（１）において、前記電源入力部（２）として、壁等に備えられたコンセントに接続可能なソケットにするとともに、該ソケット（２）に接続したサービス用コンセント（６）を具備したことを特徴とする電気式床暖房機用のコントローラー。
【発明の詳細な説明】
【技術分野】
【０００１】
本発明は、電気式床暖房機用コントローラーに係り、より詳しくは、壁面等に備えられたコンセントに直接接続可能な電気式床暖房機用コントローラーに関する。
【背景技術】
【０００２】
近年、床暖房を完備した家屋等が増えており、この床暖房の方法としては、一般的に、フローリング等の床面の下側にヒーターを配設する方法が採用されている。即ち、このような床暖房は、例えば床下の根太間にヒーターを設置するとともにこのヒーターに電源を供給するための配線を施し、その後にヒーターの上にフローリング材等の床材を設置する方法であり、これによれば、床上にカーペット等を敷くこと無く、快適な生活空間を形成することが可能である。
【０００３】
しかしながら、このような設置方法による床暖房では、フローリングの下にヒーターを備える構造であるために、これを設置する場合には、新築家屋等の場合は格別、既存の住宅等に設置する場合には、一旦、フローリングを外し、更にヒーターを設置した後に再びフローリングを取り付ける作業が必要となり、作業が煩雑になるとともに費用もかかるという問題点がある。
【０００４】
また、一般的に賃貸住宅の場合には、部屋を家主に返還する際には部屋の中等を元の状態に戻す必要があるが、この場合、借主が前述のような方法により床暖房を設置していた場合には、これを再び取り外さなければならず、更に手間と費用が必要となってしまう。
【０００５】
そこで、本発明者は、過去において、面倒な作業を経ること無く、低コストで設置することが可能な床暖房用のキットを提案した。
【特許文献１】特開２００３−２２２３４７号公報
【発明の開示】
【発明が解決しようとする課題】
【０００６】
しかしながら、前述の床暖房用キットを用いて床暖房を設置する場合においても、壁等にコントローラーを装着するとともに、このコントローラーに屋内配線等を接続作業が必要であるため、例えば日曜大工等により簡単にできるものではない。
【０００７】
また、専門業者によってフローリングの下に床暖房を施工する従来の方法を採用した場合には、使用者が施工作業を行なう必要は無くなるが、かかる場合において、床暖房機用に専用の配線を施工してしまった場合には、特に夏場等の床暖房を使用しない場合において、他の電気機器の使用に要するコンセントが不足してしまうという問題点が考えられる。
【０００８】
そこで、本発明は、電気式の床暖房機の施工に際して、特に専門的な知識が無い者であっても容易にこれを行なうことを可能にするとともに、専用の配線を施工する必要のない電気式床暖房機用コントローラーを提供することを課題としている。
【課題を解決するための手段】
【０００９】
本発明の電気式床暖房機用コントローラーは、１又は複数個の電源入力部と、該電源入力部に接続された制御手段と、該制御手段に接続された出力手段と、前記制御手段に各種の指示を与えるための操作スイッチとを備えて、前記制御手段を介して、前記電源入力部より入力された電源を出力手段より電気式床暖房機に供給可能とした電気式床暖房機用のコントローラーにおいて、前記電源入力部として、壁等に備えられたコンセントに接続可能なソケットとしたことを特徴としている。
【発明の効果】
【００１０】
本発明の電気式床暖房機用のコントローラーでは、電源入力部をソケットの形態にしており、これにより、壁等に備えられたコンセントにこの電源入力部としてのソケットを差し込むのみで、ヒーターへの電源供給が可能となる。
【００１１】
従って、本発明の電気式床暖房機用のコントローラーを用いることにより、床暖房の施工が極めて容易になり、特に専門知識を必要とすること無く、容易に所望する箇所に床暖房を備えることが可能となる。
【００１２】
また、本実施例のコントローラーでは、床暖房機の設置に際して専用の配線を施工する必要が無いために、夏場等の使用しない場合には、コントローラーをコンセントより取り外しておくことにより、他の電気機器の使用を妨げることを防止可能である。
【発明を実施するための最良の形態】
【００１３】
本発明の床暖房機用コントローラーでは、１又は複数個の電源入力部と、この電源入力部より入力された電源をヒーター等に供給するための出力手段を備えている。また、電源入力部と出力手段との間には、ヒーター側へ流れる電源を制御するための制御手段が介在されるとともに、この制御手段には、制御手段に対して各種の指示をするための操作部が接続されている。
【００１４】
そして、前記電源入力部として、本発明では、壁等に形成されたコンセントに挿入可能なソケットを用いている。
【００１５】
ここで、サービス用コンセントを備えて、このサービス用コンセントを前記電源入力部に接続するとよく、これによれば、床暖房を使用しない場合において、本発明のコントローラーを壁等より取り外すこと無く、他の電気機器等を使用することが可能となる。
【実施例１】
【００１６】
本発明の床暖房機用コントローラー（以下単に「コントローラー」という。）の実施例について図面を参照して説明すると、図１は本実施例のコントローラーの構成を示すブロック図であり、図において１が本実施例のコントローラーである。
【００１７】
そして、本実施例のコントローラー１では、電源入力部を備えており、即ち、図において２が電源入力部であり、本実施例において、この電源入力部２としては、壁等に備えられたコンセントに挿入して屋内配線に接続可能なソケットとしている。
【００１８】
なお、本実施例においては、図にも示されているように、電源入力部としてのソケット２を２個としているが、このソケット２の数は２個には限定されず、１個、あるいは３個以上としてもよい。
【００１９】
次に、この電源入力部２には、スイッチ３を介して制御手段４が接続されており、この制御手段４には出力部としての出力端子５が接続されている。そして、この出力端子５に、ヒーターに接続された電線を接続することにより、前記入力部２より供給された電源をヒーター側に出力可能としている。
【００２０】
ここで、前記制御手段４について説明すると、本実施例において前記制御手段４としては、マイコン回路４０２を有しており、このマイコン回路４０２によりコントローラー１の全体の制御を行なうこととしている。
【００２１】
また、このマイコン回路４０２には出力回路４０３、及び、トライアック等のドライブ回路４０４が接続されており、このトライアック４０４によって、前記ヒーター側へ供給する電源の制御を行なうこととしている。なお、図において４０１は電源回路であり、この電源回路４０１は、前記マイコン回路４０２等の駆動電源を生成して供給するために用いられている。
【００２２】
次に、本実施例のコントローラー１では、操作パネル７を有しており、この操作パネル７に備えた各種スイッチを前記マイコン回路４０２に接続し、これにより、使用者の操作に応じて各種の制御を可能としている。
【００２３】
また、図において６は、サービス用コンセントであり、即ち、本実施例のコントローラー１においては、サービス用コンセント６を具備するとともに、このサービス用コンセント６に前記電源入力部２を接続しており、これにより、各種電気機器をこのサービス用コンセント６に接続することにより、コントローラー１をコンセントより取り外すことなく、前記各種電気機器への電源供給を可能としている。
【００２４】
次に、このように構成された本実施例のコントローラー１の使用方法等について図面を参照して説明すると、図３は、床暖房を装備する前における部屋１１の内部の一部を示しており、図において１５は、フローリングを施工する前の床面である。また、図に示す部屋１１では、壁面の２箇所にコンセント１２ａ、１２ｂを有している。そして、このような部屋１１に本実施例のコントローラー１を使用して床暖房を施工する場合には、一方のコンセント１２ａにコントローラー１のソケット２を差し込むのみでよい。
【００２５】
即ち、図２が、前記部屋１１に床暖房を装備するとともに、コンセントの一方１２ａに本実施例のコントローラー１を接続した状態を示す図であり、図３に示す部屋１１において、床面１５上に電気式床暖房機としてのヒーターを敷くとともに、このヒーターにフラット電線を接続し、このフラット電線を壁に沿って立ち上げた後に前記出力端子５に連結し、この状態のコントローラー１におけるソケット部２を前記コンセントの一方１２ａに連結し、更に、露出しているフラット電線をカバー材１３で覆うとともに、ヒーターの上にフローリング材１４を敷きつめ、これにより、図２に示すように床暖房を施工している。
【００２６】
このように、本実施例のコントローラー１では、電源入力部としてソケット２を用いているために、壁等に備えられたコンセントにこのソケット２を差し込むだけでヒーターへの電源供給が可能となり、特に専門的な知識、技術を必要とすること無く、容易に床暖房を装備することが可能となる。
【００２７】
また、特に夏場等の床暖房機を使用しないときには、コントローラー１をコンセントより引き抜いておくことにより、他の電気機器の使用に必要なコンセントを確保することが可能となる。
【００２８】
更に、コントローラーにサービス用コンセントを備えることにより、コントローラー１をコンセントより引き抜くことなく、他の電気機器の使用に必要なコンセントを確保することも可能である。
【産業上の利用可能性】
【００２９】
本発明は、電気式床暖房機用コントローラーの電源入力部としてソケットを用いて、これによりコントローラーを壁等に備えられたコンセントに直接接続可能としたために、電気式床暖房機コントローラーのすべてに適用可能である。
【図面の簡単な説明】
【００３０】
【図１】本発明の実施例を説明するためのブロック図である。
【図２】本発明の実施例の使用方法を説明するための図である。
【図３】本発明の実施例の使用方法を説明するための図である。
【符号の説明】
【００３１】
１    コントローラー
２    電源入力部（ソケット部）
３    スイッチ
４    制御手段
４０１    電源回路
４０２    マイコン回路
４０３    出力回路
４０４    ドライブ回路
５    出力端子
６    サービスコンセント
７    操作パネル
１１    部屋
１２ａ、１２ｂ    コンセント
１３    カバー材
１４    フローリング
１５    床面
【図１】
2005308334.tif 000003
【図２】
2005308334.tif 000004
【図３】
2005308334.tif 000005